(57)【要約】【課題】  ラップフィルムの取出しが容易で、巻芯の逆転によるラップフィルムの切り端の貼付きも有効に防止できるラップフィルム巻取り構造を提供することを目的とする。【解決手段】  ラップフィルム４が巻き取られた巻芯３が収納ケース１内に浮動状態にて回転自在に収納されたラップフィルム巻取り構造において、前記収納ケース１に対して回転が規制されかつ巻芯３に対して摩擦力を付与する回止め部材５を前記巻芯３に装着したことにより、後付けにて回止め部材５を巻芯３に装着するだけで、ラップフィルムが巻き付けられた巻芯３が妄りに逆転することがないので、カッター２により切断された切り端が巻芯上のラップフィルム４に貼り付くことがなく、再使用の際にはラップフィルム４の切り端を迅速に摘むことができるし、巻芯３は回止め部材５に対して摩擦力が付与されているだけなので、巻芯３を容易に回転させてラップフィルム４の取出しを行える。【選択図】  図１
2006044699.tif 000002
【特許請求の範囲】
【請求項１】
ラップフィルムが巻き取られた巻芯が収納ケース内に浮動状態にて回転自在に収納されたラップフィルム巻取り構造において、前記収納ケースに対して回転が規制されかつ巻芯に対して摩擦力を付与する回止め部材を前記巻芯に装着したことを特徴とするラップフィルム巻取り構造。
【請求項２】
前記回止め部材の収納ケースに対する回転規制が、収納ケースの方形断面形状に適合する方形の回止め板によりなされることを特徴とする請求項１に記載のラップフィルム巻取り構造。
【請求項３】
前記回止め部材の収納ケースに対する回転規制が、収納ケースへの回止め部材の接着あるいは係止等によりなされることを特徴とする請求項１に記載のラップフィルム巻取り構造。
【請求項４】
前記巻芯に対する回止め部材の摩擦力の付与が、巻芯内に収納される紡錘状弾性摩擦体によりなされることを特徴とする請求項１から３のいずれかに記載のラップフィルム巻取り構造。
【請求項５】
前記紡錘状弾性摩擦体の軸方向長さを調節することで該摩擦体の径を調節し、巻芯に対する摩擦力を調節可能に構成したことを特徴とする請求項４に記載のラップフィルム巻取り構造。
【発明の詳細な説明】
【技術分野】
【０００１】
本発明は、ラップフィルムが巻き取られた巻芯が収納ケース内に浮動状態にて回転自在に収納されたラップフィルム巻取り構造に関する。
【背景技術】
【０００２】
近年、物品の荷造りのためのラッピングや家庭での食品の調理、保存のためにラップフィルムが多用されている。通常、ラップフィルム巻取り構造としては、構造が簡素なことから、ラップフィルムが巻き取られた巻芯が収納ケース内に浮動状態にて回転自在に収納されて構成されている。ところが、浮動状態に置かれた巻芯は収納ケース内において軸が振れ、巻芯が回転することなく浮いて収納ケースから飛び出したり、巻芯が逆回転して切断されたラップフィルムの切り端が巻芯に貼り付き、再使用の際の切り端の摘み出しに手間を要して面倒であった。そのようなことから、補強を兼ねて巻芯の軸振れを解消した巻体（巻芯）支持具を備えるラップフィルム収納箱が提案された（例えば下記特許文献１参照）。
【特許文献１】特開平９−１５０８２８号公報（請求項１参照）
【発明の開示】
【発明が解決しようとする課題】
【０００３】
前記特許文献１に開示されたラップフィルム収納箱は、図５（Ｂ）に示すように、収納箱３０内にラップフィルム巻体２２を収納するに際して、ラップフィルム巻体２２を回転自在に支持する支持具２１を介して行うもので、軸振れを解消して巻体２２の円滑な回転を可能にするとともに、図５（Ａ）に示すように、展開厚紙を組み立てて門型に形成したＡ面の前縁に補強用のＦ面を形成し、ラップフィルム２３の巻体２２からの取出し時におけるＡ面の撓みを抑止して、支持具２１における巻体２２の両端部２２ａ、２２ｂの軸支面であるＢＣ、ＤＥ面の変形をも防止し、巻体２２の円滑な回転が可能となった。
【０００４】
しかしながら、前記従来のラップフィルム収納箱では、支持具２１におけるＡ面の面積が広大であり、ラップフィルム２３の最初の取出しに手間を要する上、使用時には広大な面積のＡ面への貼付きや摩擦によってラップフィルム２３が損傷する虞れがあった。
【０００５】
そこで、本発明では、前記従来のラップフィルム収納箱の課題を解決して、ラップフィルムの取出しが容易で、巻芯の逆転によるラップフィルムの切り端の貼付きも有効に防止できるラップフィルム巻取り構造を提供することを目的とする。
【課題を解決するための手段】
【０００６】
そのため本発明は、ラップフィルムが巻き取られた巻芯が収納ケース内に浮動状態にて回転自在に収納されたラップフィルム巻取り構造において、前記収納ケースに対して回転が規制されかつ巻芯に対して摩擦力を付与する回止め部材を前記巻芯に装着したことを特徴とする。また本発明は、前記回止め部材の収納ケースに対する回転規制が、収納ケースの方形断面形状に適合する方形の回止め板によりなされることを特徴とする。また本発明は、前記回止め部材の収納ケースに対する回転規制が、収納ケースへの回止め部材の接着あるいは係止等によりなされることを特徴とする。また本発明は、前記巻芯に対する回止め部材の摩擦力の付与が、巻芯内に収納される紡錘状弾性摩擦体によりなされることを特徴とする。また本発明は、前記紡錘状弾性摩擦体の軸方向長さを調節することで該摩擦体の径を調節し、巻芯に対する摩擦力を調節可能に構成したことを特徴とするもので、これらを課題解決のための手段とするものである。
【発明の効果】
【０００７】
本発明では、ラップフィルムが巻き取られた巻芯が収納ケース内に浮動状態にて回転自在に収納されたラップフィルム巻取り構造において、前記収納ケースに対して回転が規制されかつ巻芯に対して摩擦力を付与する回止め部材を前記巻芯に装着したことにより、後付けにて回止め部材を巻芯に装着するだけで、ラップフィルムが巻き付けられた巻芯が妄りに逆転することがないので、カッターにより切断された切り端が巻芯上のラップフィルムに貼り付くことがなく、再使用の際にはラップフィルムの切り端を迅速に摘むことができるし、巻芯は回止め部材に対して摩擦力が付与されているだけなので、巻芯を容易に回転させてラップフィルムの取出しを行うことができる。
【０００８】
また、前記回止め部材の収納ケースに対する回転規制が、収納ケースの方形断面形状に適合する方形の回止め板によりなされる場合は、方形断面を利用して収納ケースに対する回止め部材の回転を確実に規制することが可能となる。さらに、前記回止め部材の収納ケースに対する回転規制が、収納ケースへの回止め部材の接着あるいは係止等によりなされる場合は、収納ケースがいかなる断面形状を呈するといえども、回止め部材の収納ケースに対する回転規制が行える。
【０００９】
さらにまた、前記巻芯に対する回止め部材の摩擦力の付与が、巻芯内に収納される紡錘状弾性摩擦体によりなされる場合は、ある程度の異径サイズの巻芯に適応が可能となる他、巻芯に対する摩擦体の装着が容易となる。しかも、部分密着により適度の弾性力により巻芯内周面に過度の摩擦力を発生させることがなく、ラップフィルムの取出しのための回転を可能にしつつ、適度の制動力により巻芯を逆転させることがない。また、前記紡錘状弾性摩擦体の軸方向長さを調節することで該摩擦体の径を調節し、巻芯に対する摩擦力を調節可能に構成した場合は、異径サイズの巻芯に広範囲で適応が可能となる他、巻芯内周面に対する摩擦体の摩擦力を広範囲で調節することが可能となり、ラップフィルムの取出しのための巻芯の回転力の調節等も容易に行える。
【発明を実施するための最良の形態】
【００１０】
以下、本発明の実施例を図面に基づいて詳細に説明する。図１は本発明のラップフィルム巻取り構造の第１実施例で、図１（Ａ）はラップフィルム巻芯への回止め部材の装着状態を示す一部断面の側面図、図１（Ｂ）はラップフィルム巻芯に回止め部材が装着されて収納ケースに収納される状態を示す斜視図である。図２は本発明のラップフィルム巻取り構造の第２実施例で、図２（Ａ）は側面図、図２（Ｂ）はその断面図、図２（Ｃ）は図２（Ｂ）のＡ矢視図である。図３は本発明のラップフィルム巻取り構造の第３実施例で、回止め部材における回止め板の正面図である。図４は本発明のラップフィルム巻取り構造の第４実施例で、回止め部材の摩擦力の調節状態を示す断面図である。
【実施例１】
【００１１】
以下、図面に基づいて本発明のラップフィルム巻取り構造を詳述する。図１は本発明のラップフィルム巻取り構造の第１実施例である。図１（Ａ）はラップフィルム４が巻き取られた巻芯３の右端面の内周面に、回止め部材５が装着される状態を示している。回止め部材５は、外側端部に配設された方形の回止め板６と、そのすぐ内側に固定された筒部７と、先端内側に配設された浮動板部９と、これら筒部７と浮動板部９との間に張設された紡錘状弾性摩擦体８とから構成される。前記紡錘状弾性摩擦体８は、多数の弓状線材からなる竹籠状摩擦体により構成される。材質としては、金属や竹、プラスチック等の弾性線材から構成される。装着時には、適度の弾性を有して巻芯３の内周面に接触する。適度の弾性により、ある程度のサイズの異なる異径巻芯の内周面に制動力を付与すべく対応が可能である。
【００１２】
図１（Ｂ）に示すように、かく構成した回止め部材５を巻芯３の両側に装着して、さらにラップフィルム収納ケース１に収納する。収納ケース１は紙等により組み立てられ、方形断面を有しており、前記回止め部材５における回止め板６の方形形状と適合する。つまり、収納ケース１に対して回止め板６はその回転が規制されている。これにより、巻芯３の軸心が振れることがなく回転が円滑となる他、紡錘状弾性摩擦体８による適度の摩擦力により巻心３が妄りに逆回転して、カッター２により切断された切り端が巻芯上のラップフィルムに貼り付くことがないので、再使用の際にはラップフィルムの切り端を迅速に摘むことができるし、巻芯は回止め部材に対して摩擦力が付与されているだけなので、巻芯を容易に回転させてラップフィルムの取出しを行うことができる。
【実施例２】
【００１３】
図２は本発明のラップフィルム巻取り構造の第２実施例で、本実施例のものも、図２（Ａ）に示すように、回止め部材５が、外側端部に配設された方形の回止め板６と、そのすぐ内側に固定された筒部７と、先端内側に配設された浮動板部９と、これら筒部７と浮動板部９との間に張設された紡錘状弾性摩擦体８とから構成される点で前記第１実施例のものと同様であるが、本実施例のものの浮動板部９は、多数の弓状線材からなる竹籠状摩擦体の内端部が折り返された部位に配設される。このように構成されることによって、図２（Ｂ）の断面図に示すように、紡錘状弾性摩擦体８の軸方向長さを調節することで該摩擦体８の径を調節し、巻芯３に対する摩擦力を調節可能に構成したものである。
【００１４】
方形の回止め板６の軸方向内側には軸方向に充分な長さを有する筒部７が延設され、該筒部７内に回転自在に調節内筒１０が配設される。前記浮動板部９からは軸方向外側に向けてロッド部材１１が接続され、該ロッド部材１１の外側半分には螺子部１２が刻設される。螺子部１２は前記調節内筒１０の内側端部に刻設された螺子筒部１３に螺合され、調節内筒１０を回転させることによって、紡錘状弾性摩擦体８を介して回止め板６と一体化して回転不能なロッド部材１１が軸方向に移動可能に構成される。前記調節内筒１０の外側端部には、図２（Ｃ）に示すように、略十字状に摘み部材１４が設置される。該摘み部材１４により前記調節内筒１０を回転調節して、浮動板部９を回止め板６の方に寄せることで、前記弓状線材からなる竹籠状摩擦体８を径方向に拡大させることによって、巻芯３（図１参照）内周面に対する摩擦力を増大させることができるので、異径サイズの巻芯３に広範囲で適応が可能となる他、巻芯３の内周面に対する摩擦体８の摩擦力を広範囲で調節して、ラップフィルムの取出しのための巻芯３の回転力の調節等が容易に行える。
【実施例３】
【００１５】
図３は本発明のラップフィルム巻取り構造の第３実施例で、回止め部材における回止め板の正面図である。本実施例では、回止め部材５が収納ケース１から抜け出ないように、図３（Ｂ）に示すように、収納ケース１の方形断面に適合する方形の回止め板６の側面に抜止め部材１５、１５を形成したものである。抜止め部材１５の収納ケース側（外側）には複数の爪部１６が形成される。図示の例の他、爪部１６に代えて接着剤により抜止め部を構成してもよいし、回止め板６の外側端面（図３の紙面手前側）に接着剤あるいは係止部を形成してもよい。接着は接着層と剥離紙とから構成される接着部によりなされてもよい。爪部１６の収納ケース１の内面へのエッジ効果により、回止め部材５が上方へ抜け出ることが抑止される。
【実施例４】
【００１６】
図４は本発明のラップフィルム巻取り構造の第４実施例で、回止め部材の摩擦力の調節状態を示す断面図である。本実施例は、前記第１および第２実施例のものの弓状線材からなる竹籠状摩擦体８に代えて、紡錘状弾性摩擦体８として、ゴム製のダイヤフラム部材１８を用いた例である。図４（Ａ）に示すように、回止め部材５は、回止め板６と浮動板部９との間の全周にゴム製のダイヤフラム部材１８が固定され、さらに、これらの間には、径大部１７を内端部に形成し摘み部１４を外端部に形成したロッド部材１１が回転自在に配設される。
【００１７】
ロッド部材１１の外側半分には螺子部１２が刻設され、回止め板６の螺子筒部１３に螺合される。ダイヤフラム部材１８を介して回止め板６とともに回転不能な浮動板部９に対して、ロッド部材１１を回転させることで、浮動板部９を回止め板６側に寄せることで、図４（Ｂ）に示すように、ダイヤフラム部材１８の径を拡大させることができる。これにより、回止め部材５における摩擦体であるダイヤフラム部材１８の巻芯３の内周面に対する摩擦力を増大させることが可能となる。
【００１８】
以上、本発明の実施例について説明してきたが、本発明の趣旨の範囲内にて、ラップフィルムの形状、材質、巻芯の形状（好適には円筒形）、形式および材質（紙、木、プラスチック等）、収納ケースの形状（方形に限定されずに、円形、多角形等でもよい）、形式および材質（紙、木、プラスチック等）、回止め部材の形状、形式および材質、回止め板の形状、形式および材質ならびに収納ケースに対する回転規制形態（収納ケースの方形断面形状に適合する方形の回止め板のセット、収納ケースへの回止め部材の接着あるいは係止等）、回止め部材における紡錘状弾性摩擦体の形状（弓状線材の断面形状）、形式（多数の弓状線材からなる竹籠状摩擦体の他、複数の円弧状の板体、螺旋状ばね材の径の拡大縮小等）および材質（所定の摩擦力が得られる弾性材）ならびに摩擦力の付与形態（面による摩擦の他、エッジを効かせて制動力を得る形式でもよい）、紡錘状弾性摩擦体の径の調節形態（浮動板部の軸方向移動に伴う紡錘状弾性摩擦体の拡大縮小等）等については適宜選定することができる。
【図面の簡単な説明】
【００１９】
【図１】本発明のラップフィルム巻取り構造の第１実施例で、図１（Ａ）はラップフィルム巻芯への回止め部材の装着状態を示す一部断面の側面図、図１（Ｂ）はラップフィルム巻芯に回止め部材が装着されて収納ケースに収納される状態を示す斜視図である。
【図２】本発明のラップフィルム巻取り構造の第２実施例で、図２（Ａ）は側面図、図２（Ｂ）はその断面図、図２（Ｃ）は図２（Ｂ）のＡ矢視図である。
【図３】本発明のラップフィルム巻取り構造の第３実施例で、回止め部材における回止め板の正面図である。
【図４】本発明のラップフィルム巻取り構造の第４実施例で、回止め部材の摩擦力の調節状態を示す断面図である。
【図５】従来のラップフィルム収納箱の説明図である。
【符号の説明】
【００２０】
１        ラップフィルム収納ケース
２        カッター
３        ラップフィルム巻芯
４        ラップフィルム
５        回止め部材
６        回止め板
６Ａ        摘み部材収容凹部
７        筒部
８        竹籠状摩擦体（紡錘状弾性摩擦体）
９        浮動板部
１０        調節内筒
１１        ロッド部材
１２        螺子部
１３        螺子筒部
１４        摘み部材
１５        抜止め部材
１６        爪部
１７        径大部
１８        ダイヤフラム部材（紡錘状弾性摩擦体）
【図１】
2006044699.tif 000003
【図２】
2006044699.tif 000004
【図３】
2006044699.tif 000005
【図４】
2006044699.tif 000006
【図５】
2006044699.tif 000007